(57)【特許請求の範囲】
【請求項１】
段ボールよりなる桁材(10)の複数本を主材として組立てられたベース材(1) の上面に段ボールよりなるデッキ材(3) を接着固定した段ボール製パレットであって、前記したベース材(1) として、上面に横梁材係合用の凹欠部(15)を配設してある四角筒状の桁材(10)を所要の間隔をおいて配置して、これら桁材(10)を前記した凹欠部(15)に部分的に係合させて直交方向に配置した段ボールよりなる複数本の横梁材(2) により格子状に連結することにより、上面が各桁材(10)と横梁材(2) による水平なデッキ支持面に形成されるとともに、横梁材(2) の下面が各桁材(10)、(10)間から挿入されるフォーク爪の支持面に形成されたものとし、また、前記四角筒状の桁材(10)は、上板部(11)の左右両側下方に折曲線を介して外側脚板部(12)、(12)を連設するとともに該外側脚板部(12)、(12)の下端に内向きの折曲線を介して前記上板部(11)の略半分幅の底板部(13)、(13)を連設してその先端に折曲線を介して上向きの補助脚板部(14)、(14)を立設し、この桁材(10)の上部には前記上板部(11)と外側脚板部(12)、(12)と補助脚板部(14)、(14)の上部を部分的に切欠した凹欠部(15)を所要の間隔をおいて複数個設けた段ボール素板を前記した各折曲線より折曲して四角筒状にまとめたものとして、かつ、前記凹欠部(15)の上部先端縁には折曲線を介して舌片(151) が連設されていてこの舌片(151) に設けた切欠部(152) により補助脚板部(14)、(14)を挟持させるとともに、上板部(11)にはスリット孔(111) が設けて、このスリット孔(111) から連結板(4) を挿入して該連結板(4) に設けた切込部(41)に補助脚板部(14)、(14)を挟持させ、また、前記連結板(4)を中央の２条の折曲線(41a)、(41a)により切欠部(41)を設けた２枚の連結片部(42)、(42)を折り返して形成したものであって、さらに、前記四角筒状の桁材(10) を形成する段ボール素板を、中央に間隔をおいて折曲線(11a)、(11a)を設けてその間に上板部(11)を形成し、該折曲線(11a)、(11a)から外側箇所に折曲線(12a)、(12a)を設けて折曲線(11a)と折曲線(12a)との間に外側脚板部(12)、(12)を形成し、該折曲線(12a) 、(12a)から前記上板部(11)の半分幅の箇所に折曲線(13a) 、(13a)を設けて前記上板部(11)の半分幅の底板部(13)、(13)を形成し、該折曲線(13a)、(13a)の外側に折曲線(14a)、(14a)により脚板本体部(141)と折返脚板部(142)とよりなる２枚構造とする補助脚板部(14)、(14)を形成し、また、前記外側脚板部(12)、(12)には四角状の抜き孔(121)、(121)をその一側孔縁部(122)を前記折曲線(11a)、(11a)に合致させて所要の間隔をおいて複数個設け、対向する外側脚板部(12)、(12)に設けた両抜き孔(121)、(121)の端部同士間の上板部(11)に折曲線(151a)を設け、対向する折曲線(151a)と折曲線(151a)との中間部に前記抜き孔(121)と連通させた切断線(153)又は抜き取り部(154)を形成して折曲線(151a)と切断線(153)との間に形成される舌片(151)に切断線(153)の先端中央から切欠部(152)を設け、また、上板部(11)に連結板(4)挿入用の横方向にスリット(111)を所要間隔をもって複数個設けて、また、前記折曲線(14a)、(14a)により脚板本体部(141)と折返脚板部(142)とより二重構造とする補助脚板部(14)、(14)に折曲線(14a)を中心に前記抜き孔(121)に対応させて二倍幅の抜き孔(144)を穿設して折り返し時に凹欠部(15)形成用の切欠段部(15a)を形成するものとし、さらに、補助脚板部(14)、(14)には折曲線(14a)を中心に前記にスリット(111)に対応させて折り返し時に���結板(4)の頭部(4a)を嵌合させる切欠部形成用の横長孔(145)を形成したものとしたことを特徴とする段ボール製パレット。
【請求項２】
段ボールよりなるベース材(1) の横梁材(2) が、桁材(10)の凹欠部(15)に対応する幅と高さを有するように１枚の段ボール素板を断面形状が扁平な四角形となるように折曲線より巻回して積層重合して形成したものである請求項１に記載の段ボール製パレット。
【発明の詳細な説明】
【０００１】
【発明の属する技術分野】
本発明は、段ボール製パレットに関するものである。
【０００２】
【従来の技術】
従来の段ボール製パレットは、多数枚の段ボールを接着剤で積層一体した桁材の複数本を所要間隔をおいて平行に配置してこれらの上下面に直接デッキ材を接着固定したものが普通であった。
【０００３】
【発明が解決しようとする課題】
ところが、このような従来のものにあっては、桁材間におけるデッキ面に荷重を受けた場合にデッキ材が歪み損傷する虞があり、また、多数枚の段ボールを接着剤で積層一体した桁材は製造に手数を要するうえ重量が重くなる問題があった。
【０００４】
【課題を解決するための手段】
前記の課題を解決するためになされた本発明の段ボール製パレットは、段ボールよりなる桁材の複数本を主材として組立てられたベース材の上面に段ボールよりなるデッキ材を接着固定した段ボール製パレットであって、前記したベース材として、上面に横梁材係合用の凹欠部を配設してある四角筒状の桁材を所要の間隔をおいて配置して、これら桁材を前記した凹欠部に部分的に係合させて直交方向に配置した段ボールよりなる複数本の横梁材により格子状に連結することにより、上面が各桁材と横梁材による水平なデッキ支持面に形成されるとともに、横梁材の下面が各桁材間から挿入されるフォーク爪の支持面に形成されたものを用いたものとし、また、前記四角筒状の桁材は、上板部の左右両側下方に折曲線を介して外側脚板部を連設するとともに該外側脚板部の下端に内向きの折曲線を介して前記上板部の略半分幅の底板部を連設してその先端に折曲線を介して上向きの補助脚板部を立設し、この桁本体の上部には前記上板部と外側脚板部と補助脚板部の上部を部分的に切欠した凹欠部を所要の間隔をおいて複数個設けた段ボール素板を前記した各折曲線より折曲して四角筒状にまとめたものとして、かつ、前記凹欠部の上部先端縁には折曲線を介して舌片が連設されていてこの舌片に設けた切欠部により補助脚板部を挟持させるとともに、上板部にはスリット孔が設けて、このスリット孔から連結板を挿入して該連結板に設けた切込部に補助脚板部を挟持させ、また、前記連結板を中央の２条の折曲線により切欠部を設けた２枚の連結片部を折り返して形成したものであって、さらに、前記四角筒状の桁材を形成する段ボール素板を、中央に間隔をおいて折曲線を設けてその間に上板部を形成し、該折曲線から外側箇所に折曲線を設けて折曲線と折曲線との間に外側脚板部を形成し、該折曲線から前記上板部の半分幅の箇所に折曲線を設けて前記上板部の半分幅の底板部を形成し、該折曲線の外側に折曲線により脚板本体部と折返脚板部とよりなる２枚構造とする補助脚板部を形成し、また、前記外側脚板部には四角状の抜き孔をその一側孔縁部を前記折曲線に合致させて所要の間隔をおいて複数個設け、対向する外側脚板部に設けた両抜き孔の端部同士間の上板部に折曲線を設け、対向する折曲線と折曲線との中間部に前記抜き孔と連通させた切断線又は抜き取り部を形成して折曲線と切断線との間に形成される舌片に切断線の先端中央から切欠部を設け、また、上板部に連結板挿入用の横方向にスリットを所要間隔をもって複数個設けて、また、前記折曲線)により脚板本体部と折返脚板部とより二重構造とする補助脚板部に折曲線を中心に前記抜き孔に対応させて二倍幅の抜き孔を穿設して折り返し時に凹欠部形成用の切欠段部を形成するものとし、さらに、補助脚板部には折曲線を中心に前記にスリットに対応させて折り返し時に連結板の頭部を嵌合させる切欠部形成用の横長孔を形成したものとしたことを特徴とするものを請求項１に係る発明とする。
【０００５】
そして、前記した請求項１に係る発明における段ボールよりなるベース材の横梁材として、桁材の凹欠部に対応する幅と高さを有するように１枚の段ボール素板を断面形状が扁平な四角形となるように折曲線より巻回して積層重合して形成したものを用いたものを請求項２に係る発明とする。
【０００６】
【０００７】
【発明の実施の形態】
次に、本発明の好ましい実施の形態を図面に基づき説明する。
１は段ボールよりなる四角筒状の桁材１０の複数本を主材として組立てられたベース材であって、本発明に係る段ボール製パレットはこのベース材１の上面に段ボールよりなるデッキ材３を接着固定して構成されている。前記したベース材１は上面に横梁材係合用の凹欠部１５を配設してある四角筒状の桁材１０の複数本を所要の間隔をおいて平行に配置し、これら桁材１を前記した凹欠部１５に部分的に係合接着して直交方向に配置した段ボールよりなる複数本の横梁材２により格子状に連結することによって、上面が各桁材１と横梁材２による水平なデッキ支持面に形成されるとともに、横梁材２の下面が各桁材１０、１０間から挿入されるフォーク爪の支持面に形成されたものとしてあり、このベース材１の上面の水平なデッキ支持面に段ボールよりなるデッキ材３を接着固定してある。
【０００８】
このように構成された段ボール製パレットは、複数本の桁材１０と横梁材２とにより組み込まれた格子状のベース材１の上面に各桁材１と横梁材２とによって形成された水平なデッキ支持面にデッキ材３を接着固定したものであるから、平面荷重及び桁間荷重は勿論のこと集中荷重にも対応できる充分な強度を持つものである。また、デッキ材３上に重量物をのせてフォークリフトにより運ぶ際に桁材１０、１０間に挿入されるフォーク爪は、デッキ材３の下面に直接接触することなく、横梁材２の下面を支えることとなるので、デッキ材３が歪んで積載荷物が落下する虞も無いものである。さらに、横梁材２が桁材１０の凹欠部１５に係合されたうえ接着固定されているので、横梁材２の位置決めも容易なうえ強固に連結できて製作が容易なものものである。
【０００９】
前記した桁材１は、図２に示すように、上板部１１の左右両側下方に折曲線１１ａ、１１ａを介して外側脚板部１２、１２を連設するとともに、外側脚板部１２、１２の下端に内向きに折曲線１２ａ、１２ａを介して前記上板部１１の半分幅の底板部１３、１３を連設し、また、両底板部１３、１３の先端縁上方には折曲線１３ａ、１３ａを介して補助脚板部１４、１４を立設して四角筒状とし、さらにこのような四角筒状体の上部には前記上板部１１と外側脚板部１２、１２と補助脚板部１４、１４の上部を一部切欠した凹欠部１５を所要の間隔をおいて実施例では４個設けてある。また、凹欠部１５の上部先端縁には舌片１５１を折曲して連設してこの舌片１５１に設けた切欠部１５２により前記補助脚板部１４、１４を挟持させるとともに、上板部１１にスリット１１１を設けてこのスリット１１１から連結板４を挿入して該連結板４に設けた切欠部４１により補助脚板部１４、１４を挟持させて嵌合させることにより両補助脚板部１４、１４が分離することなく一体に連結させてまとめあげている。なお、スリット１１１は図示のように上板部１１の全幅にわたり設けてあり、連結板４の両端面が外側脚板部１２、１２の内壁面と当接して四角筒状の桁材１０の保形性を高めるものとしている。
【００１０】
このようにベース材１の主材となる四角筒状の桁材１０はその中央に設けた補助脚板部１４、１４が底板部１３、１３の先端縁上方に折曲線１３ａ、１３ａを介して連設されたものであるから、別材を組み込み形成する必要がなくて製造が容易であり、また、補助脚板部１４、１４は舌片１５１に設けた切込部１５２と連結板４に設けた切込部４１とにより一体に連結されているので、荷重を受けても開拡する虞のないものとしてあり、補助脚板部１４、１４同士を接着材により接着固定する場合において、両補助脚板部１４、１４を強固に当接させて確実に接着固定させることができるものである。
【００１１】
また、この桁材１０は図３に示すような打ち抜き加工した四角状の段ボール素板を折曲して製造するものである。即ち、この段ボール素板は中央に間隔をおいて折曲線１１ａ、１１ａを設けてその間に上板部１１を形成し、該折曲線１１ａ、１１ａから外側箇所に折曲線１２ａ、１２ａを設けて折曲線１１ａと折曲線１２ａとの間に外側脚板部１２、１２を形成し、該折曲線１２ａ、１２ａから前記上板部１１の半分幅の箇所に折曲線１３ａ、１３ａを設けて前記上板部１１の半分幅の底板部１３、１３を形成し、該折曲線１３ａ、１３ａの外側に折曲線１４ａ、１４ａにより脚板本体部１４１と折返脚板部１４２とよりなる２枚構造とする補助脚板部１４、１４を形成している。なお、折曲線１４ａ、１４ａの所要箇所を太線で示したとおり切断として容易に折り返し可能としている。
【００１２】
さらに、前記外側脚板部１２、１２には四角状の抜き孔１２１、１２１をその一側孔縁部１２２を前記折曲線１１ａ、１１ａに合致させて所要の間隔をおいて複数個即ち４個宛設け、対向する外側脚板部１２、１２に設けた両抜き孔１２１、１２１の端部同士間の上板部１１に折曲線１５１ａを設け、対向する折曲線１５１ａと折曲線１５１ａとの中間部に前記抜き孔１２１と連通させた切断線１５３又は抜き取り部１５４を形成して折曲線１５１ａと切断線１５３との間に形成される舌片１５１に切断線１５３の先端中央から切欠部１５２を設け、さらに、上板部１１に連結板４挿入用の横方向にスリット１１１を所要間隔をもって複数個即ち４個設けている。
【００１３】
また、前記折曲線１４ａ、１４ａにより脚板本体部１４１と折返脚板部１４２とより二重構造とする補助脚板部１４、１４に折曲線１４ａを中心に前記抜き孔１２１に対応させて二倍幅の抜き孔１４４を穿設して折り返し時に凹欠部１５形成用の切欠段部１５ａを形成するものとし、さらに、補助脚板部１４、１４には折曲線１４ａを中心に前記にスリット１１１対応させて折り返し時に連結板４の頭部４ａを嵌合させる切欠部形成用の横長孔１４５を形成している。
【００１４】
そして、このように打ち抜き加工した段ボール素板を、図４に示すように、先ず両端部の折返脚板部１４２を脚板本体部１４１の内面側に折り重なるように折曲線１４ａを介して３６０°折曲させて先端に抜き孔１４４により切欠段部１５ａを形成するとともに横長孔１４５により切欠部を形成した二重構造の補助脚板部１４を形成する。次に、図５に示すように折曲線１３ａを介して補助脚板部１４を底板部１３から内向きに９０°折曲させるとともに底板部１３を折曲線１２ａを介して外側脚板部１２から内向きに９０°折曲させて、外側脚板部１２を折曲線１１ａを介して上板部１１から内向きに９０°折曲させて、該外側脚板部１２を上板部１１の両側に下方に形成するとともに上板部１１に対向させて底板部１３、１３を形成してに前記底板部１３、１３から内向きに９０°折曲させた補助脚板部１４、１４同士を当接させて該補助脚板部１４、１４の先端面により上板部１１を支持させて図６に示すような中央に上下方向の補助脚板部１４を設けた四角筒状の桁材１０とされる。
【００１５】
その後、この桁材１０の上板部１１の各舌片１５１を下方に向け９０°折曲させて、切断線１５３先端中央から設けた切欠部１５２を設けた舌片１５１にあっては該切欠部１５２により補助脚板部１４、１４の切欠段部１５ａの基端上部を挟持して該切欠段部１５ａと前記両外側脚板部１２の抜き孔１２１により凹欠部１５を設けた桁材１として、図７に示すように上板部１１に設けたスリット１１１から連結板４を挿入して該連結板４の頭部４ａを補助脚板部１４、１４の上部に横長孔１４５を折り返して形成した切欠部１４６に嵌合させたうえ該連結板４の下端に設けた該切欠部４１に補助脚板部１４、１４を挟持させて前記舌片１５１の切欠部１５２と共に両補助脚板部１４、１４同士を一体とさせる。
【００１６】
【００１７】
このようにして得られた桁材１０はその複数本を等間隔に配置しておき、隣合う各桁材１の凹欠部１５に一部を係合させた状態として横梁材２を直交方向に配置し、該横梁材２の上面部２１を桁材１０の上板部１１と同一面として係合接着することにより固定して格子状のベース材１とし、このベース材１の各桁材１０の上板部１１及び各横梁材２の上面部２１により形成される水平なデッキ支持面に段ボールよりなるデッキ材３を接着固定することによって段ボール製パレットとすればよいものである。
【００１８】
また、前記した連結板４は、図７及び図８に示すように、中央の２条の折曲線４１ａ、４１ａにより切欠部４１を設けた２枚の連結片部４２を折り返して形成して折返箇所の弾発力で前記挿入孔１１１からデッキ３を接着固定する組立前にあっても抜け出ることのないようにしている。
【００１９】
さらに、段ボールよりなる横梁材２は、前記した桁材１０の凹欠部１５に対応する幅と高さを有するように１枚の段ボール素板をその断面形状が扁平な四角形となるように折曲線より巻回して積層重合して形成したものであって、図示するものは図９に示すように、芯板部２０１の側縁に切込線入りの折曲線２０１ａを介して折返板部２０２を連設するとともに、該折返板部２０２から順次折曲線２０２ａを介して重合板部２０２を連設した段ボール素板を、断面形状が扁平な四角状となるように巻回して積層重合して形成することが製造が容易で好ましいが、多数の段ボール切断片を桁材１０の凹欠部１５に対応する幅と高さを有するように接着材で一体としたものであってもよい。
【００２０】
【発明の効果】
本発明は前記した実施例による説明から明らかなように、桁材と横梁材とを桁材の凹欠部において組み込んで上面が各桁材と横梁材の上面による水平なデッキ支持面に形成するとともに、横梁材の下面が各桁材間から挿入されるフォーク爪の支持面に形成された格子状のベース材とし、このベース材の水平なデッキ支持面にデッキ材を接着固定したものであるから、デッキ面に重量物をのせられた場合にもデッキ材が歪むことが無く、また、フォーク爪はデッキ材の下面に直接接触することがなく強度的に優れた横梁材の下面を支えることとなるので、デッキ材は強い強度を必要とせず、しかも、桁材は打ち抜き加工した１枚の段ボール素板を折曲すればよいので、多数枚の段ボールを接着剤で積層一体した桁材を使用したものに比べて製造に手数を要しないうえに接着剤の使用量も少なくできて安価に製造できるものである。また、段ボールよりなる四角筒状の桁材の内部に補助脚板部を立設してあるものは、上下方向の荷重がこの桁材の外側脚板部のみならず補助脚板部と外側脚板部の双方により支えられることとなるので、桁材の強度はより優れたものとなって耐久性の点で一層好ましいものとなる。
従って、本発明は従来の段ボール製パレットの問題点を解決したものとして業界にもたらす益大なものである。
【図面の簡単な説明】
【図１】本発明に係る段ボール製パレットの実施の形態を示す分解斜視図である。
【図２】本発明に用いられた桁材の実施の形態を示す斜視図である。
【図３】桁材組立用の段ボール素板を示す平面図である。
【図４】桁材の組立工程を示す斜視図である。
【図５】桁材の組立工程を示す斜視図である。
【図６】桁材の組立工程を示す斜視図である。
【図７】桁材の組立工程を示す斜視図である。
【図８】連結板組立用の段ボール素板を示す平面図である。
【図９】横梁材組立用の段ボール素板を示す平面図である。
【符号の説明】
１  ベース材
２  横梁材
３  デッキ材
４  連結板
10  四角筒状の桁材
11  上板部
12  外側脚板部
13  底板部
14  補助脚板部
15  凹欠部
41  切欠部
41a折曲線
42  連結片部
111  スリット孔
151 舌片
152 切欠部
【図１】
0003573720.tif 000002
【図２】
0003573720.tif 000003
【図３】
0003573720.tif 000004
【図４】
0003573720.tif 000005
【図５】
0003573720.tif 000006
【図６】
0003573720.tif 000007
【図７】
0003573720.tif 000008
【図８】
0003573720.tif 000009
【図９】
0003573720.tif 000010